(57)【要約】【課題】本発明は、自宅浴場などに簡易に設定することができ、少量のミストで十分なサウナ効果の得られる簡易ミストサウナに関する。【解決手段】浴場などに配設して、ミスト噴霧器３からミストを噴射させるミストサウナであって、支持体７上部に支持された天井体２に、ミスト噴射器３が配設され、天井体２周部に沿って、係止具を介して着脱自在に係吊される断熱囲障壁４が、表裏防水布の間に断熱材が一体に結合され、前部左右側端部に係合具4dが配設されて、開閉自在に構成されている、簡易ミストサウナ１。    【選択図】図２
2007159655.tif 000002
【特許請求の範囲】
【請求項１】
浴場などに配設して、ミスト噴霧器からミストを噴射させるミストサウナであって、支持体上部に支持された天井体に、ミスト噴射器が配設され、天井体周部に沿って、係止具を介して着脱自在に係吊される断熱囲障壁が、表裏防水布の間に断熱材が一体に結合され、前部左右側端部に係合具が配設されて、開閉自在に構成されていること、を特徴とする簡易ミストサウナ。  
【請求項２】
前記断熱材は発泡樹脂シートである、請求項１に記載された簡易ミストサウナ。  
【請求項３】
前記断熱材の表裏面には、殺菌剤層が形成されていること、を特徴とする請求項１．２のいずれかに記載された簡易ミストサウナ。  
【請求項４】
前記天井体は、周部に下垂するスカート部が形成され、該スカート部の内側に断熱囲障壁が係吊されること、を特徴とする請求項１〜３のいずれかに記載された簡易ミストサウナ。
【請求項５】
前記天井体と断熱囲障壁上部との係止具は、テープファスナであること、を特徴とする請求項１〜４のいずれかに記載された簡易ミストサウナ。
【発明の詳細な説明】
【技術分野】
【０００１】
本発明は簡易ミストサウナに係り、特に自宅浴場などに簡易に設定することのできる、簡易ミストサウナに関する。
【背景技術】
【０００２】
従来簡易ミストサウナは、家庭の風呂場に、ミスト噴霧ノズルを配設し、風呂場にミストを噴霧する形式のものが多い。
【発明の開示】
【発明が解決しようとする課題】
【０００３】
風呂場は狭くても２平方メートルはあり、ここにミストを噴霧しても、冬期などでは直ぐに温度が低下してしまう。特に風呂場のガラス窓、タイル等の冷たさに熱を奪われてしまうので、加熱機の燃費も大きくなる。
また、使用時に中を見られないように、ミスト噴霧器をカーテンで囲む形式のものもあるが、カーテンは薄い生地なので、断熱作用は具備されていない。
この発明は、ミストの噴霧量が少なくてすみ、冷めにくい目的を達することのできる、簡易ミストサウナを提供することを目的としている。
【課題を解決するための手段】
【０００４】
この発明の簡易ミストサウナは、ミスト噴霧器の周囲を断熱囲障壁で囲った。
発明の具体的な内容は次の通りである。
【０００５】
(1)  浴場などに配設して、ミスト噴霧器からミストを噴射させるミストサウナであって、支持体上部に支持された天井体に、ミスト噴射器が配設され、天井体周部に沿って、係止具を介して着脱自在に係吊される断熱囲障壁が、表裏防水布の間に断熱材が一体に結合され、前部左右側端部に係合具が配設されて、開閉自在に構成されている、簡易ミストサウナ。  
【０００６】
(2)  前記断熱材は発泡樹脂シートである、前記(1)に記載された簡易ミストサウナ。  
【０００７】
(3)  前記断熱材の表裏面には、殺菌剤層が形成されている、前記(1)(2)のいずれかに記載された簡易ミストサウナ。  
【０００８】
(4)  前記天井体は、周部に下垂するスカート部が形成され、該スカート部の内側に断熱囲障壁が係吊される、前記(1)〜(3)のいずれかに記載された簡易ミストサウナ。
【０００９】
(5)  前記天井体と断熱囲障壁上部との係止具は、テープフアスナである、前記(1)〜(4)のいずれかに記載された簡易ミストサウナ。
【発明の効果】
【００１０】
本発明によると次のような効果がある。
【００１１】
(1)  請求項１に記載された発明の簡易ミストサウナは、ミスト噴射器が配設されている天井体周部に沿って、係止具を介して着脱自在に係吊される断熱囲障壁が配設されているので、ミストは断熱囲障壁で囲まれている部分にしか噴射されないため、ミストの噴射量が少なくても、ミストサウナの効果が得られて経済的である。
また断熱囲障壁は断熱作用があるので、設置場所が広い浴場であっても、断熱囲障壁で囲まれている部分において、ミストの保温性に優れている。
断熱囲障壁は、前部で左右に開閉できるので、人の出入りが容易である。また断熱囲障壁は、上部を係止具を介して、天井体に着脱自在に係吊するので、不要な時は断熱囲障壁を外して、浴場などを広く使用することが出来、また断熱囲障壁を洗滌し、或いは外に干すことができる。
【００１２】
(2)  請求項２に記載された発明の簡易ミストサウナは、断熱材が発泡樹脂シートであり、その表裏に防水布が一体に結合されているので、水濡れにも支障がなく、洗滌も容易である。
【００１３】
(3)  請求項３に記載された発明の簡易ミストサウナは、断熱材の表裏面には、殺菌剤層が形成されているので、抗菌、殺菌、洗滌作用があるため、カビの発生を防止し、汚れが着きにくく、清潔に維持させることができる。
【００１４】
(4)  請求項４に記載された発明の簡易ミストサウナは、天井体の周部に、下垂するスカート部が形成され、該スカート部の内側に断熱囲障壁が係吊されるので、断熱囲障壁の上端部が、スカート部によって覆われており、ミストが上方へ散逸しにくい。
【００１５】
(5)  請求項５に記載された発明の簡易ミストサウナは、天井体と断熱囲障壁上部との係止具は、テープファスナであるので、天井体と断熱囲障壁上部との密着性に優れ、ミストが上方へ散逸しにくい。また、断熱囲障壁の取付、取外しが容易である。
【実施例１】
【００１６】
本願発明の実施の形態例を、図面を参照して説明する。図１は本発明に係る簡易ミストサウナの平面図、図２は正面図、図３は天井体部分拡大図である。
図１において、簡易ミストサウナ(1)は、天井体(2)、ミスト噴霧器(3)、断熱囲障壁(4)、ボイラ(5)から構成されている。図中符号(6)はパイプ、(7)は支持体、(8)は浴場、(9)は浴槽である。
【００１７】
天井体(2)は、１辺７０ｃｍ程度で、その一辺は平面で半円形に設定され、周囲に１０ｃｍ程度のスカート(2a)が下垂形成されている。該スカート(2a)の内側面には、テープフアスナからなる係止具(2b)が接着されている。上記寸法はこれに限定されるものではない。
該天井体(2)は、２本の柱部(7a)の上部に前方へ、弧状に突出された張出部(7b)が形成された支持体(7)によって、浴場(8)の隅に水平に配設される。  
【００１８】
前記天井体(2)の中央部には、ミスト噴霧器(3)が、噴霧口を下に向けて配設されている。ミスト噴霧器(3)は、パイプ(6)を介してボイラ(5)に連結され、ボイラから送られる蒸気を噴霧するように構成されている。操作用のスイッチやコックなどは適宜配設される。  
【００１９】
図４は断熱囲障壁(4)の展開正面図、図５は断熱囲障壁(4)の側端部拡大図である。
断熱囲障壁(4)は、例えば縦約１７０ｃｍ、横幅約２６０ｃｍで、図５に示すように、中央に厚み１ｍｍ程度の断熱材(4a)、例えば発泡スチロールシートを、表裏から防水布(4b)で挟み、周囲を縫合されている。また左右側端部には、フアスナからなる係合具(4d)が縫合されている。
【００２０】
断熱材(4a)の表裏には、殺菌剤、例えば酸化チタンその他の殺菌剤層(4c)を形成することができる。前記酸化チタンは、接着剤に酸化チタン粉末を混合させ、噴霧させて付着させたもので、接着剤の硬化によって、洗濯をしても脱離しない。
【００２１】
酸化チタンは、光触媒作用があり、紫外線を受けると、殺菌作用、防汚作用、洗滌作用があり、断熱材(4a)を清潔に維持し、あるいは浴場の殺菌作用もある。表裏の防水布(4b)の縫い目から中にカビ菌等細菌が入っても、殺菌される。勿論、殺菌剤層(4c)は、防水布(4b)にも形成することができる。
【００２２】
断熱囲障壁(4)の上縁部には、図３に示すように、前記天井体(2)のスカート(2a)部分内側に配した、テープファスナからなる係止具(2b)と係止する、テープファスナからなる係止具(4e)が縫合されている。テープファスナはパイル織りテープで、例えばマジックテープ(登録商標)等が使用される。
【００２３】
上記構成の断熱囲障壁(4)は、図１に示すように、前に開口が来るように、天井体(2)のスカート(2a)部内側の係止具(2b)に、断熱囲障壁(4)上部の係止具(4e)を係止させて固定する。  これによってスカート(2a)部内側に、断熱囲障壁(4)は密着状に係吊されるので、ミストが外へ散逸しにくく保温性に優れている。
【００２４】
使用時に使用者は、断熱囲障壁(4)で囲まれた中に入って、前部の係合具(4d)を上から下へかけて閉めると、断熱囲障壁(4)の下端のみが隙間のある個室になる。
そこでミスト噴霧器(3)からミストを噴霧させると、断熱囲障壁(4)の内部はミストサウナとなり、断熱囲障壁(4)は断熱性があるので、少量のミスト消費でも、十分な高温を保持したサウナ効果を得ることができる。
【００２５】
断熱囲障壁(4)は、天井体(2)のスカート(2a)部内側に配した、係止具(2b)から剥離することによって、容易に取外すことができるので、ミストサウナ(1)を浴場に設置しても、直ぐに浴場として使用することができる。
また、取外した断熱囲障壁(4)は、容易に洗滌したり天日干しにすることができるので、清潔を維持することができる。
【００２６】
なお、この発明は、前記実施例に限定されるものではなく、目的に沿って適宜設計変更をすることができる。例えば前記断熱囲障壁(4)における断熱材(4a)は、織布に発泡樹脂を層状に塗着したものでもよい。
【産業上の利用可能性】
【００２７】
家庭の浴場などに簡易にとりつけてサウナとすることができる。
【図面の簡単な説明】
【００２８】
【図１】本発明に係るミストサウナの平面図である。
【図２】本発明に係るミストサウナの正面図である。
【図３】本発明に係るミストサウナの天井体部分拡大縦断面図である。
【図４】本発明に係るミストサウナの断熱囲障壁の展開正面図である。
【図５】断熱囲障壁の要部横断平面図である。
【符号の説明】
【００２９】
(1)ミストサウナ
(2)天井体
(2a)スカート
(2b)係止具
(3)ミスト噴霧器
(4)断熱囲障壁 
(4a)断熱材   
(4b) 防水布
(4c)殺菌剤層
(4d)係合具
(4e)係止具
(5)ボイラ
(6)パイプ
(7)支持体  
(7a)柱部
(7b)張出部
(8)浴場
(9)浴槽
【図１】
2007159655.tif 000003
【図２】
2007159655.tif 000004
【図３】
2007159655.tif 000005
【図４】
2007159655.tif 000006
【図５】
2007159655.tif 000007